(57)【要約】  少なくとも、口側端部（２）および逆側保持端部（３）を有するシート状可撓性支持体（１）を含み、該シート状可撓性支持体（１）はその少なくとも一方の側にある量の唇用製品（５，７，１５，１６）を担持する唇用製品領域（４，６）を有し、該唇用製品領域（４，６）は前記支持体（１）の口側端部（２）の近傍に位置して、該支持体（１）を口側端部（２）が唇間に来るように持つことにより、使用者の少なくとも一方の唇の相当の部分が該唇用製品（５，７，１５，１６）と接触するように配置され、該支持体（１）は使用中に使用者の口外に位置する保持端部（３）が手でつまめるような寸法を有する、唇用製品（５，７，１５，１６）の唇への塗布用具。前記シート状可撓性支持体（１）は、少なくともその唇用製品（５，７，１５，１６）を担持する唇用製品領域（４，６）の部分に亘って、口側端部（２）から保持端部（３）へと可撓性が増大するように設定されていることを特徴とする。
2009501034.tif 000002
【特許請求の範囲】
【請求項１】
少なくとも、口側端部（２）および逆側保持端部（３）を有するシート状可撓性支持体（１）を含み、該シート状可撓性支持体（１）はその少なくとも一方の側にある量の唇用製品（５，７，１５，１６）を担持する唇用製品領域（４，６）を有し、該唇用製品領域（４，６）は前記支持体（１）の口側端部（２）の近傍に位置して、該支持体（１）を口側端部（２）が唇間に来るように持つことにより、使用者の少なくとも一方の唇の相当の部分が該唇用製品（５，７，１５，１６）と接触するように配置され、該支持体（１）は使用中に使用者の口外に位置する保持端部（３）が手でつまめるような寸法を有する、唇用製品（５，７，１５，１６）の唇への塗布用具であって、
前記シート状可撓性支持体（１）は、少なくともその唇用製品（５，７，１５，１６）を担持する唇用製品領域（４，６）の部分に亘って、口側端部（２）から保持端部（３）へと可撓性が増大するように設定されていることを特徴とする唇用製品の唇への塗布用具。
【請求項２】
前記シート状可撓性支持体（１）は、塗布用具の使用時において、先端を含む唇の外側部分に接触するようにされた唇用製品領域（４，６）部分に亘って増大する可撓性を有することを特徴とする請求項1に記載の塗布用具。
【請求項３】
前記シート状可撓性支持体（１）は、唇用製品領域全体に亘って増大する可撓性を有することを特徴とする請求項１または２に記載の塗布用具。
【請求項４】
前記シート状可撓性支持体（１）は、その口側端部（２）から保持端部（３）の実質的に全長に亘って増大する可撓性を有することを特徴とする請求項１〜３のいずれかに記載の塗布用具。
【請求項５】
増大する可撓性がシート状可撓性支持体（１）の減少する幅によって与えられることを特徴とする請求項１〜４のいずれかに記載の塗布用具。
【請求項６】
増大する可撓性が、シート状可撓性支持体（１）の減少する厚さによって与えられることを特徴とする請求項１〜４のいずれかに記載の塗布用具。
【請求項７】
前記シート状可撓性支持体（１）が、ほぼ角の丸まった三角形状と実質的に一定の厚さを有し、唇用製品領域（４，６）は、使用時に使用者の唇の曲線に近付くように三角形の底辺近傍に湾曲した帯状に形成されることを特徴とする請求項１〜５のいずれかに記載の塗布用具。
【請求項８】
前記シート状可撓性支持体（１）が、ほぼ角の丸まった矩形状と口側端部（２）から保持端部（３）へと比較的一定に減少する厚さを有し、唇用製品領域（４，６）は使用時に使用者の唇の曲線に近付くように口側端部（２）近傍において、湾曲した帯状に形成されることを特徴とする請求項１〜４および６のいずれかに記載の塗布用具。
【請求項９】
前記シート状可撓性支持体（１）は、唇用製品（５，７，１５，１６）を担持する唇用製品領域（４，６）を口側端部近傍の両側に有することを特徴とする請求項１〜８のいずれかに記載の塗布用具。
【請求項１０】
前記唇用製品（５，７，１５，１６）は、塗布用具が一度よりも多く使用されるように、シート状可撓性支持体（１）上に層状に塗布されることを特徴とする請求項１〜９のいずれかに記載の塗布用具。
【発明の詳細な説明】
【技術分野】
【０００１】
本発明は、少なくとも、口側端部および逆側保持端部を有するシート状可撓性支持体を含み、該シート状可撓性支持体はその少なくとも一方の側にある量の唇用製品を担持する唇用製品領域を有し、該唇用製品領域は前記支持体の口側端部の近傍に位置して、該支持体を口側端部が唇間に来るように持つことにより、使用者の少なくとも一方の唇の相当の部分が該唇用製品と接触するように配置され、該支持体は使用中に使用者の口外に位置する保持端部が手でつまめるような寸法を有する、唇用製品の唇への塗布用具に関する。
【背景技術】
【０００２】
上記のような塗布用具は、ＵＳ−Ａ−５０２０５５３公報に開示されている。該米国公報に記載されている塗布用具は、紙シートの両面に口紅が塗布された領域を有するものである。この塗布用具は、該シートを使用者の唇間に掴み、外側へと引張ることにより使用される。これは、口紅が唇へと塗り付け作用により塗布されることを意味する。
【０００３】
実際において、この方法による唇への唇用製品塗布は充分に精確でないことがわかっている。通常、唇用製品の塊が移行し、その後に均一にならすことが必要になる。また、口の角部が汚れがちになる。
【０００４】
化粧品業界においては、１９３０年代初期から既に、シート状材料からなり、一回使用のための唇用製品塗布用具の開発が試みられている。しかしながら、これらの製品はいずれも成功していない。
【０００５】
その主たる理由は、化粧品業界における唇用製品、特に口紅は極めて精確に唇に塗布されなければならないが、従来のシート状口紅塗布用具では、それが、これまで不可能であったことによる。口紅あるいは他の唇用製品を充分に精確に唇に塗布するためには、現在、通常の棒口紅あるいはブラシ状口紅塗布用具を用いる方法だけである。
【０００６】
シート状唇用製品塗布用具の利点は数多くある。シート状塗布用具は、そのフラットな形状ゆえに、雑誌等に含めて、販売促進に使うことができる。また、シート状塗布用具は、比較的安く製造できるので、化粧品店、美容室等に試供品として頒布できる。女性、メーク・アップ技師等の唇用製品使用者は、複数の色製品を、簡便携行可能製品として持っていることを好む。通常の棒口紅および口紅ブラシは、例えば化粧箱あるいはハンドバックに入れて携行する必要がある。シート状塗布用具の重要な利点の一つは、例えばズボンのポケットに入れて持ち運びできることである。また、このような唇用製品塗布用具は、非常に衛生的である。これは、現在のところ、複数の顧客に一つの口紅または唇用製品塗布用具を使用する、例えばメーク・アップ技師あるいはスタイリストにとって特に有利となる。同じことが、多くの顧客が、同一の試供品提供者を試す店における試供品口紅についても同様である。
【０００７】
従って、化粧品業界においては、人間の唇に口紅等の唇用製品を精確に、再現性よく、塗布し得るシート状塗布用具についての重要な需要が依然として存在する。
【０００８】
［発明の開示］
本発明は、そのような塗布用具を提供するものである。本発明により提供される唇用製品の唇への塗布用具は、少なくとも、口側端部および逆側保持端部を有するシート状可撓性支持体を含み、該シート状可撓性支持体はその少なくとも一方の側にある量の唇用製品を担持する唇用製品領域を有し、該唇用製品領域は前記支持体の口側端部の近傍に位置して、該支持体を口側端部が唇間に来るように持つことにより、使用者の少なくとも一方の唇の相当の部分が該唇用製品と接触するように配置され、該支持体は使用中に使用者の口外に位置する保持端部が手でつまめるような寸法を有する、唇用製品の唇への塗布用具であって、前記シート状可撓性支持体は、少なくともその唇用製品を担持する唇用製品領域の部分に亘って、口側端部から保持端部へと可撓性が増大するように設定されていることを特徴とするものである。
【０００９】
研究によれば、シート状の可撓性支持体に増大する可撓性を付与することにより、種々の唇用製品から唇へと精確に汚れなしにうまく塗布可能な塗布用具が得られることが示された。
【００１０】
本発明の塗布用具は、使用時に、保持端部を例えば二本の指でつまむことにより、口側端部において唇間に保持される。次いで、唇表面に対してシート状支持体を相対的に動かすことなく、保持端部を少なくとも１回、上下に動かす。本発明により、シート状支持体の可撓性を特定したことにより、塗布用具は、非常に有利な湾曲性をもって曲がる。曲げられた状態において、塗布用具は、少なくとも唇用製品を担持する唇用製品領域に亘って減少する曲率半径を有する。
【００１１】
本発明の塗布用具の更なる利点は、上唇の先端（いわゆるcupids）にも精確に唇用製品を与えられることである。
【００１２】
また、本発明の塗布用具の注目すべき点は、明らかに不精確な塗り付け動作（smearing action）でなく、簡単な押し付け転写により、唇用製品が塗布されることである。
【００１３】
好ましくは、シート状可撓性支持体は、塗布用具の使用時において、先端を含む唇の外側部分に接触するようにされた唇用製品領域部分に亘って増大する可撓性を有するものとする。
【００１４】
従来のシート状塗布用具による唇用製品の塗布中の主要な問題点は、唇の外側部分、すなわち唇端部において起った。塗り汚れ（smearing）および他の不精確性が一般に起った。本発明の塗布用具の特殊な設計により、これらの不満は解消される。
【００１５】
より好ましくは、シート状可撓性支持体は、唇用製品領域全体に亘って増大する可撓性を有するものとする。これにより、より良好で精確な唇用製品塗布性能が与えられる。
【００１６】
シート状可撓性支持体は、その口側端部から保持端部の実質的に全長に亘って増大する可撓性を有するものとすることが有利である。これは、使用時において、口側端部から保持端部に向けて可撓性が増大することを意味し、これにより唇用製品の最適な塗布が可能になる。つまり、使用時に塗布用具を曲げる際に、曲率半径が全シート状支持体の口側端部から保持端部に亘って減少し、優れた唇用製品の転写を可能にする。
【００１７】
塗布用具に増大する可撓性を付与する態様は特に限定されず、多くの方法で実現できる。
【００１８】
好ましくは、増大する可撓性は、シート状可撓性支持体の厚さの減少により与えられる。この場合、厚みは、口側端部から保持端部へと減少させる。
【００１９】
可撓性は、またシート状支持体に、例えば特定の稜、溝、孔等を設けることにより形態的に変化させることができる。
【００２０】
増大する可撓性を実現するために可能な他の態様としては、例えばフィラー等の含有量変化あるいはシート状支持体材料に繊維系等の補強材料の付与、等によりシート状支持体の材料特性を、少なくとも唇用製品領域に亘って口側端部から保持端部へと変化させることである。
【００２１】
特に述べるまでもなく、シート状支持体の可撓性を徐々に、より好ましくはほぼ一定の割合で増大させることが好ましい。
【００２２】
増大する可撓性は、シート状支持体のほぼ全幅に延長するが全幅に亘って均等である必要はない。可撓性はシート状支持体の口側端部から保持端部へと少なくとも唇用製品領域に亘って増大させるが、可撓性の増大はシート状支持体の幅方向に亘って変化し得る。例えば、可撓性増大はシート状支持体の横断（幅）方向において、縁部近傍で著しくすることができる。すなわち、シート状支持体は、使用時において、口のかど部において、唇の先端と同等な曲率半径を持たせることができる。
【００２３】
好ましい態様において、シート状可撓性支持体は、ほぼ角の丸まった三角形と実質的に一定の厚さを有し、唇用製品領域は、使用時に使用者の唇の曲線に近付くように三角形の底辺近傍に湾曲した帯状に形成される。この態様については図面を参照して更に説明する。
【００２４】
更に好ましい態様においては、シート状可撓性支持体が、ほぼ角の丸まった矩形状と口側端部から保持端部へと比較的一定に減少する厚さを有し、唇用製品領域は使用時に使用者の唇の曲線に近付くように口側端部近傍において、湾曲した帯状に形成される。この態様についても、図面を参照して更に詳細に説明する。
【００２５】
もちろん、シート状可撓性支持体の一方の面の口側端部近傍の唇用製品領域にのみ唇用製品を担持させることができるが、好ましくはシート状支持体の両面の口側端部近傍に二つの唇用製品領域を持たせる。これにより、二つの唇に同時に唇用製品を塗布することが可能になる。
【００２６】
シート状可撓性支持体に塗布する唇用製品は、使用者の唇に塗布されるべき任意の唇用製品であり得る。その例としては、唇化粧品の分野における製品、棒口紅、唇塗布薬、唇光沢剤等；唇予防の分野における唇軟化剤、リップ・バルサム等；唇保護の分野における唇の太陽光保護剤等；薬剤分野における抗ヘルペス唇剤等、がある。唇用製品の物理的形態も特に限定されるものではないが、固体、半固体、粉体あるいは液体等であり得る。
【００２７】
本発明の塗布用具は、主として一回使用用に構成することができるが、複数回使用用に構成することも有利であり得る。この場合には、好ましくは唇用製品を例えばシート状可撓性支持体上に層状に塗布して、塗布用具を複数回使用可能とする。ここで、「層状に」とは、シート状支持体上に唇用製品を、例えばより高粘度または高融点の分離層で分離した複数層に塗布することを意味する。このような塗布用具を用いて、１回の塗布において、塗布用具から使用者の唇に一層のみの唇用製品を転写する。
【００２８】
本発明の塗布用具のシート状支持体は、好ましくは可撓性プラスチックにより構成する。例えばポリプロピレン、ポリエチレン、ポリスチレン等の化粧品分野で一般に用いられる可撓性プラスチックが有利に用いられる。
【００２９】
また、本発明の塗布用具の寸法は、臨界的ではない。もちろん、唇に許容可能な唇用製品を付与した口側端部が、唇間に保持されるように、寸法を適切に選択すべきである。また厚みも、用途およびシート状支持体材質に応じて選択可能である。ポリスチレンからなる典型的な塗布用具の例においては、以下の寸法が算定される；口側端部−保持端部間長さ約５〜６ｃｍ、口側端部近傍の最大幅約５ｃｍ、厚さ約０．５ｍｍである。
【００３０】
本発明は、本発明の塗布用具の製造法をも提供するものであり、これは、唇用製品領域を有するシート状可撓性支持体を固定する工程、該シート状可撓性支持体の唇用製品領域に唇用製品を塗布する工程を含み、該シート状可撓性支持体への唇用製品の塗布は、唇用製品塗布装置とシート状可撓性支持体とを相対的に動かすことにより行われる。唇用製品塗布装置とシート状可撓性支持体の一方または双方を動かす。
【００３１】
好ましくは、唇用製品塗布装置および／またはシート状可撓性支持体を弧状の経路に沿って相対的に動かし、シート状可撓性支持体上の唇用製品領域に唇用製品の正しい湾曲形状が得られるようにする。
【００３２】
唇用製品の塗布中においては、適当な手段により、シート状可撓性支持体の保持端部を把持しておくことが有利である。
【００３３】
また、本発明は、本発明の塗布用具の製造装置をも与えるものであり、これは、少なくとも、シート状可撓性支持体を移送する移送手段、および唇用製品塗布装置を含み、シート状可撓性支持体および唇用製品塗布装置を相対的に動かせてシート状可撓性支持体の唇用製品領域に唇用製品を塗布するものであり、唇用製品塗布装置は、一端に唇用製品供給手段付きのスリットを有する塗布アームを有し、このスリットをシート状可撓性支持体の主たる面に位置合せし、シート状可撓性支持体をスリットを通して動かすことによりスリットとシート状可撓性支持体を相互作用させて、シート状可撓性支持体に適切に唇用製品を塗布するものである。
【００３４】
好ましくは、アームは、スリットの長手方向に回動可能とし、そのアームを回動させる駆動手段を有するものである。このようにして、シート状可撓性支持体上に、弧状の唇用製品を塗布することができる。アームは往復動あるいは３６０°全回転させる。
【００３５】
もちろん、唇用製品塗布装置を固定し、シート状可撓性支持体を弧状経路に沿って動かすようにシート状可撓性支持体移送手段を設けてもよいし、両者を適宜、相対的に動かすこともできる。
【００３６】
塗布装置に、開放唇用製品容器を含ませ、その上に塗布アームを位置させ、この容器に適当なポンプ手段を経由して塗布アームの唇用製品供給手段を結合させるのも有利である。これにより、唇用製品を塗布アームのスリットに容器から連続的にポンプ輸送することが可能になる。余分な唇用製品は、容器に戻すことができる。実施に当っては、通常唇用製品を液状に保つための加熱手段が設けられる。
【発明を実施するための最良の形態】
【００３７】
以下、本発明を図面を参照して説明する。以下の記載においては、唇用製品としては口紅のみを引用するが、これは本発明を限定するものと解されるべきでなく、本発明の塗布用具は、例えば化粧品あるいは薬剤等の業界において既知であり、本発明の塗布用具により塗布可能な如何なる唇用製品にも適用可能なものである。
【００３８】
図１に、本発明の塗布用具の一例を示すが、これは、口側端部２および保持端部３を有するシート状支持体１を含む。口側端部２の近傍にはある量の口紅５を担持する湾曲した帯状の唇用製品領域４がある。湾曲の形状は、使用者の唇の湾曲にほぼ従うものであることが好ましいが、決定的なものではない。唇用製品領域４の形状も決定的なものではない。他の図にも示すように、より大なる唇用製品領域および／又は異なる形状が使用可能である。
【００３９】
上記塗布用具は、ほぼ三角形状であるので、その可撓性が口側端部２から保持端部３へと、唇用製品領域４の相当の部分に亘って、またこの場合には塗布用具のほぼ全体に亘って、増大する。本発明の塗布用具をその口紅５を有する帯状領域４で使用者の唇間に挟み、保持端部３を二つの指でつまんで上下に動かす（曲げる）と、曲げの全ての段階を通じて、塗布用具の曲率半径は、口側端部から保持端部へと減少する。
【００４０】
本発明者の研究結果によると、少なくとも唇用製品領域の一部に亘って口側端部から保持端部へと可撓性が増大することが必須である。これは、唇用製品領域が口紅の転写中に唇に接触する部分である。好ましくは、これは、口紅の精確な塗布のために本発明で与えられる特定の湾曲が重要であるところの、使用中に唇の縁部に接触する唇用製品領域の部分である。
【００４１】
図２に、図１の塗布用具のII−II線断面図を示す。この断面図から明らかなように、唇用製品領域４とは別に、塗布用具の他の面に口紅７からなる第２の唇用製品領域６が存在する。これにより、二つの唇に口紅を同時に塗布可能となる。
【００４２】
図３には、ほぼ矩形状である本発明の塗布用具の第２の例を示す。この例においても口側端部２および保持端部３を含み、口側端部２の近傍に配置された湾曲した帯状の口紅５の形状の唇用製品領域４が示されている。
【００４３】
この例においては、シート状支持体の増大する可撓性は、口側端部２から保持端部３へと向けて減少する厚みによって与えられる。この点は、図３のIV−IV線断面図である図４に、より明瞭に示される。
【００４４】
この例においても、塗布用具には、口紅５を有する唇用製品領域４を担持する面とは逆側の面に口紅７を有する第２の唇用製品領域６が設けられている。
【００４５】
複数の唇用製品領域には、異なる色または異なる種類の口紅を塗布することが可能であり、また各領域に異なる色または種類の口紅を塗布することも可能である。また、ある種の薬剤唇用製品がそうであるような、複数成分製品を、一方の面に一成分を、他の面に他の成分を塗布することにより、本発明の塗布用具を用いることもできる。これにより、これらの成分は、使用者の唇に転写した後にはじめて互いに接触することになる。
【００４６】
図５は、ほぼ三角形状を有する図１の塗布用具に対するパッケージを示す。このパッケージは、周縁部９において剥離可能にシールされた二つのフィルム状要素からなる。これらフィルム状要素の塗布用具と接触する面には、口紅の付着を防止するための離型性被覆を有している。
【００４７】
フィルム状要素の端部１０および１１はシールしていない。端部１０および１１をつまむことにより、これらフィルム要素を分離して、パッケージ８を開放することができる。開放後、塗布用具をパッケージから取り出す。塗布用具を使用後、塗布用具をパッケージに戻し、圧力印加により再シール可能なようにシールを構成することも可能である。再シール可能なシール材の特定例は業界においてよく知られている。
【００４８】
パッケージ開放のための端部１０および１１の逆側には、シール周縁部９の一部として保持端部１２を設けることが好ましい。この端部は使用者が、パッケージ８を開放した本発明の塗布用具を取り出す間に、パッケージ中の塗布用具自体の圧迫の防止を可能にするために役立つ。塗布用具自体の圧迫は、好ましくない口紅の除去およびシート状支持体１上への広がり汚れにつながるからである。
【００４９】
図６（ａ）〜（ｃ）は、本発明の塗布用具を用いて、使用者の唇に口紅を塗布するための異なる工程を示す。
【００５０】
図６（ａ）において、塗布用具は、その保持端部３を二つの指でつまむことにより、使用者の口中に置かれる。
【００５１】
その後、口（唇）を閉じることにより、図６（ｂ）に示すように、唇が、唇用製品領域４，６の唇用製品に接触する。次いで、塗布用具を、少なくとも一回上下に曲げる。図６（ｃ）に示すように口を再び開き、塗布用具を取り出す。次いで、必要なら唇を互いに押し付けて、口紅をより均一に分布させる。これは、口紅のより均一な分布のためにのみ必要であり、口紅をより良い位置に置くために必要なのではない。何故ならば、本発明の塗布用具の使用により、既に、唇縁部への汚れや口紅の塊状の転写を起すことなしに口紅の唇への精確な転写が可能だからである。
【００５２】
特定の例においては、本発明の塗布用具に、唇用製品が正しく塗布されたことを使用者に示すための報知手段を付与することができる。例えば、この手段としては、本発明の塗布用具が充分に曲げられたときに、聴覚可能なシグナルを発するような構成手段により与えられる。この構成手段は、例えば、あるしきい値を超える力が働いたときに、すなわち塗布用具が充分に曲げられ、唇用製品が正しく与えられたときにパチッという音を生ずるように構成された適当な溝および／または稜の組み合わせを含むことができる。
【００５３】
図７は、口側端部から保持端部へと増大する可撓性を有し、曲げられた本発明の塗布用具の例を示す。ここには、曲げられたときに、本発明の塗布用具の本質的な特徴であるところの、塗布用具が口側端部２から保持端部３へと曲率半径が減少する様子が明瞭に示されている。
【００５４】
図８には、図１の例と多少類似する本発明の塗布用具の他の例が示されている。この塗布用具は、同様に両面に二つの唇用製品領域４，６を有するシート状可撓性支持体１を含む。主たる差異は、ここでは、唇用製品領域４，６が口側端部２の端縁１３まで延長していることである。この例の塗布用具は、唇用製品の塗布に要求される精度が低くなるので、製造が容易となる。この例においては、唇用製品領域４，６の構成により、使用中または包装中に、いくぶんの汚れ（smearing）が起るとしても、これは見えない。
【００５５】
図９は、図８の塗布用具のVIII−VIII線断面図である。
【００５６】
図１０は、口側端部２の先端縁１３の近傍の唇用製品領域４に開口１４を有する本発明の塗布用具の例である。この開口１４もまた、使用中の塗布用具の汚れの防止に役立つ。
【００５７】
図１１は、図１０の塗布用具のＸ−Ｘ線断面図である。
【００５８】
図８〜１１は、本発明の塗布用具が実際の使用において、多くの異なる形状およびデザインで使用可能であることを明らかにするために示してある。
【００５９】
図１２は、唇用製品領域４に、二つの口紅の帯５および１５を設けた本発明の塗布用具の例を示している。二つの口紅の帯５および１５は異なる性質を有する。好ましくは、帯１５は通常口紅と同様な粘稠度を有するものとし、帯５は通常口紅よりも低い粘稠度とする。この例の利点は、使用に際して帯５により唇への転写を相対的に容易にする一方で、帯１５により汚れ防止帯を与え、塗布用具の唇用製品領域４から保持端部３への口紅のにじみ汚れを防止することにある。塗布用具を複数回使用するときには、口紅の帯１５もまた唇へと転写する。
【００６０】
図１３は、図１２の塗布用具のXII−XII線断面図である。この図においては、塗布用具の逆側の面も示されており、そこには、それぞれ口紅帯５および１５と同様な特性を有する二つの口紅帯７および１６を有する唇用製品領域６が設けられている。
【００６１】
上述の記載を見れば明らかな通り、本発明の塗布用具には、数多くの変形が可能である。その例を挙げると次の通りである。シート状支持体には、唇用製品領域にある量の唇用製品を付着させる代りに、唇用製品領域に、例えば吸収剤あるいは唇用製品が支持体の他の領域に付着するよりもより良く付着する特性を与える物質を施すこともできる。この場合には、パッケージにある量の唇用製品を収容し、唇用製品領域の上記物質へと唇用製品が転移して、上述したように、使用者の唇へ転写するようにしてもよい。これにより、塗布用具の使い捨て性を変化させ、複数回使用に適合させることもできる。
【００６２】
図１４は、本発明の塗布用具の製造のために、シート状可撓性支持体に唇用製品を塗布するための装置例の模式図である。この装置は、唇用製品容器１７を有し、そこには唇用製品、この例では溶融した口紅５が収容され、その液面を模式的に図示してある。従って、適当な加熱手段が存在するが、図示はしていない。容器１７の上側は開放されている。
【００６３】
容器１７上には、唇用製品塗布装置１９を設けてある。この装置１９は、軸２２の回りに回動する回動可能な塗布アーム２１を支える支持具２０を有する。このアームは、２５で回動アーム２１に回転可能に結合されたピストンアーム２４を有するピストン装置により、往復回動させられる。
【００６４】
塗布アームには更に、ポンプ２６および供給導管２７を含む供給装置が結合されている。このポンプ２６により、液状唇用製品５が塗布アーム２１へと圧送されシート状可撓性支持体上に塗布される。塗布アーム２１の口紅塗布部の形態は、次図を参照して追って説明する。塗布アーム２１はその上部にスリットを有する。
【００６５】
更に、シート状可撓性支持体１をその保持端部３で把持するクランプ２９を有するコンベア２８状の移送手段を図示してある。コンベア手段２８に沿って示される矢印Ａは、コンベア２８の移動方向を示す。
【００６６】
シート状可撓性支持体１を塗布アーム２１の作動位置まで移動して、唇用製品５を塗布する。
【００６７】
図１５は、スリット３０を有する塗布アーム２１の上部の部分断面図である。スリット３０へと開口する一以上の吐出口３３を有する内部供給路３１，３２が供給導管２７に結合される。この例においては、スリット３０内部の吐出口３３の位置において、スリット３０はいくぶん大きな横断寸法を有することにより、シート状可撓性支持体１に塗布される唇用製品層の厚みを精確に制御可能としている。
【００６８】
動作時においては、図１４に示すように、シート状可撓性支持体１を塗布アーム２１のスリット３０に接触させ、次いで、唇用製品を容器１７から供給路２７を経由して吐出口３３へと供給しながら、図示の矢印Ｂ−Ｂの方向に塗布アーム２７を回動させる。この特定の装置形態により、唇用製品５を、連続的にまたその供給速度を正確に制御することなく供給できる。何故ならば、余分な唇用製品５は、何らの害なく容器に還流可能だからである。特に、（加熱）液状の口紅は、非常に低粘度である。上述したように、この装置を用いて、半連続塗布が達成される。
【００６９】
吐出口３３の数および配列は限定的でなく、必要に応じて変更可能である。
【００７０】
本発明の範囲を逸脱することなく、この装置の改変が可能なことは明らかであろう。例えば、アームを固定し、なお、かつシート状可撓性支持体１上に弧状の唇用製品塗布が可能な様に、コンベア経路を修正することができる。
【図面の簡単な説明】
【００７１】
【図１】ほぼ三角形状を有する本発明の塗布用具の第１の実施例を示す。
【図２】図１の塗布用具のII−II線断面図。
【図３】ほぼ矩形状の本発明の塗布用具の他の例を示す。
【図４】図３の塗布用具のIV−IV線断面図。
【図５】（ａ）および（ｂ）は、図１の塗布用具を含むパッケージを示す。
【図６】（ａ）〜（ｃ）は、本発明の塗布用具を用いて、使用者の唇へ口紅を転写する方法を示す。
【図７】減少する曲率半径により、本発明の塗布用具の増大する可撓性の例を示す模式図。
【図８】図１の塗布用具と類似する本発明の塗布用具の更なる実施例を示す。
【図９】図８の塗布用具のVIII−VIII線断面図。
【図１０】口側端部近傍に開口を有する本発明の塗布用具の他の例を示す。
【図１１】図１０の塗布用具のＸ−Ｘ線断面図。
【図１２】開口部を有する図１０の塗布用具と類似する塗布用具の例を示す。
【図１３】図１２の塗布用具のXII−XII線断面図。
【図１４】塗布アームを有する本発明の塗布用具の製造装置の模式説明図。
【図１５】図１４の装置の塗布アームの断面図。
【図１】
2009501034.tif 000003
【図２】
2009501034.tif 000004
【図３】
2009501034.tif 000005
【図４】
2009501034.tif 000006
【図５】
2009501034.tif 000007
【図６】
2009501034.tif 000008
【図７】
2009501034.tif 000009
【図８】
2009501034.tif 000010
【図９】
2009501034.tif 000011
【図１０】
2009501034.tif 000012
【図１１】
2009501034.tif 000013
【図１２】
2009501034.tif 000014
【図１３】
2009501034.tif 000015
【図１４】
2009501034.tif 000016
【図１５】
2009501034.tif 000017
【国際調査報告】
2009501034.tif 000018
2009501034.tif 000019